(57)【特許請求の範囲】
【請求項１】
中立位置から一方および他方に操作可能に設けられ、操作後に中立位置に自動復帰する操作部と、
前記操作部の操作により作動し、その操作された前記操作部の位置に応じたスイッチ信号を出力するスイッチ部と、
ターンシグナルを発生するターンシグナル発生部と、
前記スイッチ部から出力されるスイッチ信号に基づいて、前記ターンシグナル発生部を制御する制御部とを含み、
前記操作部は、中立位置から一方のレーンチェンジ位置およびフルターン位置に２段に操作可能、かつ、中立位置から他方のレーンチェンジ位置およびフルターン位置に２段に操作可能に設けられ、
各レーンチェンジ位置に応じたスイッチ信号には、ターンシグナルが一定時間に限って発生する態様が対応づけられ、各フルターン位置に応じたスイッチ信号には、ターンシグナルが発生し続ける態様が対応づけられており、
前記制御部は、前記ターンシグナル発生部を制御して、ターンシグナルの発生中に、前記スイッチ部から前記レーンチェンジ位置に応じたスイッチ信号が出力されたことに応答して、その発生中のターンシグナルを消滅させ、当該スイッチ信号の出力が所定時間にわたって継続した場合、当該スイッチ信号に対応した態様でターンシグナルを発生させ、当該スイッチ信号の出力の開始からの経過時間が前記所定時間に達する前に、当該スイッチ信号の出力が停止し、かつ、前記スイッチ部からスイッチ信号が新たに出力された場合、新たに出力されたスイッチ信号に対応した態様でターンシグナルを発生させ、前記フルターン位置に応じたスイッチ信号が出力されたことに応答して、ターンシグナルの発生中であるか否かにかかわらず、ターンシグナルが発生し続ける態様でターンシグナルを発生させる、ターンシグナル装置。
【発明の詳細な説明】
【技術分野】
【０００１】
本発明は、ターンシグナルの発生／解除を制御するターンシグナル装置に関する。
【背景技術】
【０００２】
自動車などの車両では、車体の前後左右にターンランプ（ターンシグナルランプ）が配設されており、右左折や走行車線の変更の際などに、ターンランプの点滅により、車両の進行方向が周囲に示される。
【０００３】
運転席の前方のステアリングコラム内には、ターンレバーにより操作されるターンスイッチが配置されている。ターンレバーは、ステアリングコラムから外側に延び、上下方向に揺動可能に設けられている。ターンレバーが中立位置から車両の進行方向に対応する方向に傾動されると、ターンスイッチが作動し、その進行方向のターンランプが点滅する。
【０００４】
最近の一部の車種では、ターンスイッチにモーメンタリスイッチが採用されており、ターンレバーの傾動後、ターンレバーに加えられている力が解放されると、ターンレバーが中立位置に自動復帰（モーメンタリ動作）する。ターンレバーの傾動に応答して、ターンランプが点滅を開始する。ターンレバーが中立位置に自動復帰した後も、ターンランプの点滅が継続する。そして、ステアリングホイールがターンランプの点滅により示される方向に所定の回転角以上に切り込まれた後、中立位置に向けて戻されると、ターンランプが消灯する。
【先行技術文献】
【特許文献】
【０００５】
【特許文献１】特開２０１０−２２１７９７号公報
【発明の概要】
【発明が解決しようとする課題】
【０００６】
運転者がターンレバーの操作を誤った場合などに、点滅中のターンランプと逆方向を示すターンランプを点滅させる必要が生じる。
【０００７】
たとえば、特許文献１には、ターンランプの点滅中に、ターンレバーがターンランプの点滅により示される方向と逆方向に傾動され、その傾動した状態が一定時間以上にわたって保持されると、点滅中のターンランプを消灯させ、逆方向を示すターンランプを点滅させる構成が開示されている。
【０００８】
ところが、その構成では、ターンレバーの傾動（操作）の開始から逆方向を示すターンランプの点滅の開始までに一定時間以上の長時間を要してしまう。
【０００９】
本発明の目的は、ターンシグナルの発生中であっても、発生中のターンシグナルを解除して、別の態様のターンシグナルを迅速に発生させることができる、ターンシグナル装置を提供することである。
【課題を解決するための手段】
【００１０】
前記の目的を達成するため、本発明に係るターンシグナル装置は、中立位置から一方および他方に操作可能に設けられ、操作後に中立位置に自動復帰する操作部と、操作部の操作により作動し、その操作された操作部の位置に応じたスイッチ信号を出力するスイッチ部と、ターンシグナルを発生するターンシグナル発生部と、スイッチ部から出力されるスイッチ信号に基づいて、ターンシグナル発生部を制御する制御部とを含み、制御部は、ターンシグナル発生部を制御して、ターンシグナルの発生中に、スイッチ部からスイッチ信号が出力されたことに応答して、その発生中のターンシグナルを消滅させ、当該スイッチ信号の出力が所定時間にわたって継続した場合、当該スイッチ信号に対応した態様でターンシグナルを発生させ、当該スイッチ信号の出力の開始からの経過時間が所定時間に達する前に、当該スイッチ信号の出力が停止し、かつ、スイッチ部からスイッチ信号が新たに出力された場合、新たに出力されたスイッチ信号に対応した態様でターンシグナルを発生させる。
【００１１】
この構成によれば、操作部が中立位置から一方または他方に操作されると、操作部の位置に応じたスイッチ信号がスイッチ部から出力される。ターンシグナルの発生中に、スイッチ部からスイッチ信号が出力されると、発生中のターンシグナルが消滅する。その後、スイッチ部からのスイッチ信号の出力が所定時間にわたって継続すると、スイッチ信号に対応した態様のターンシグナルが発生する。したがって、操作部を中立位置から一方または他方の所定位置に操作し、所定時間にわたって、操作部を所定位置に保持し続けることにより、その所定位置に対応した態様のターンシグナルを発生させることができる。
【００１２】
また、ターンシグナルの発生中に、スイッチ部からスイッチ信号が出力され、その出力の開始から所定時間内に、スイッチ部からのスイッチ信号の出力が停止し、スイッチ部からスイッチ信号が新たに出力されると、その新たに出力されたスイッチ信号に対応した態様のターンシグナルが発生する。したがって、操作部を中立位置から一方または他方に操作し、その操作力を即座に解放して、操作部が中立位置に自動復帰した後、操作部を中立位置から一方または他方の所定位置に操作することにより、その所定位置に対応した態様のターンシグナルを発生させることができる。
【００１３】
よって、ターンシグナルの発生中であっても、操作部の２回操作により、発生中のターンシグナルを解除して、別の態様のターンシグナルを迅速に発生させることができる。
【００１４】
操作部は、中立位置から一方のレーンチェンジ位置およびフルターン位置に２段に操作可能、かつ、中立位置から他方のレーンチェンジ位置およびフルターン位置に２段に操作可能に設けられてもよい。
【００１５】
この場合、各レーンチェンジ位置に応じたスイッチ信号には、ターンシグナルが一定時間に限って発生する態様が対応づけられていてもよい。また、各フルターン位置に応じたスイッチ信号には、車両のステアリングホイールの操舵角（中立位置からの回転角）がターンシグナルにより示される方向に所定の準備角以上になった後、ステアリングホイールが中立位置に向けて戻されて、ステアリングホイールの操舵角が所定のキャンセル角になるまで、ターンシグナルが発生し続ける態様が対応づけられていてもよい。
【００１６】
ターンシグナルは、車両の車体の外部に配設される左右のターンランプの点灯（点滅、連続点灯）であってもよいし、車室内のメータユニットに配設される左右のターンインジケータランプの点灯（点滅、連続点灯）であってもよい。
【発明の効果】
【００１７】
本発明によれば、ターンシグナルの発生中であっても、操作部の２回操作により、発生中のターンシグナルを解除して、別の態様のターンシグナルを迅速に発生させることができる。
【図面の簡単な説明】
【００１８】
【図１】本発明の一実施形態に係るターンシグナル装置の構成を示すブロック図である。
【図２】ターンスイッチが配設されたステアリングコラムを運転席側から見た図である。
【図３Ａ】ターンランプの点灯制御の流れを示すフローチャート（その１）である。
【図３Ｂ】ターンランプの点灯制御の流れを示すフローチャート（その２）である。
【図４】スイッチ信号の変化およびターンランプの点灯動作の一例を示すタイミングチャートである。
【図５】スイッチ信号の変化およびターンランプの点灯動作の他の例を示すタイミングチャートである。
【発明を実施するための形態】
【００１９】
以下では、本発明の実施の形態の一例について、添付図面を参照しつつ詳細に説明する。
【００２０】
図１は、本発明の一実施形態に係るターンシグナル装置１の構成を示すブロック図である。
【００２１】
ターンシグナル装置１は、自動車などの車両に搭載される。ターンシグナル装置１は、車両のステアリングコラム２１（図２参照）に配設されるターンスイッチ１１と、ステアリングホイール（図示せず）の操舵角を検出するための舵角センサ１２と、車体の外部に配設される左右のターンランプ１３Ｌ，１３Ｒと、ＥＣＵ１４とを備えている。
【００２２】
ターンスイッチ１１から出力されるスイッチ信号および舵角センサ１２から出力されるセンサ信号は、ＥＣＵ１４に入力されるようになっている。ＥＣＵ１４は、ターンスイッチ１１および舵角センサ１２からの入力信号に基づいて、左右のターンランプ１３Ｌ，１３Ｒの点灯を制御する。
【００２３】
なお、ＥＣＵ１４は、マイクロコンピュータを含む構成であってもよいし、マイクロコンピュータを含まず、ＣＰＵ、ＲＯＭおよびＲＡＭなどの複数の装置を接続した構成のものであってもよい。
【００２４】
図２は、ターンスイッチ１１が配設されたステアリングコラム２１を運転席側から見た図である。
【００２５】
ターンスイッチ１１は、ターンレバー２２と、ターンレバー２２の位置に応じて接続／切断される複数の接点２３（図１参照）とを備えている。
【００２６】
ターンレバー２２は、たとえば、ステアリングコラム２１から右側に延び、上下方向に揺動可能に設けられている。ターンレバー２２は、押し上げることにより、中立位置から左レーンチェンジ位置および左フルターン位置に２段に変位させることができる。また、ターンレバー２２は、押し下げることにより、中立位置から右レーンチェンジ位置および右フルターン位置に２段に変位させることができる。ターンレバー２２の中立位置からの変位後、ターンレバー２２に加えられている変位のための力が解放されると、ターンレバー２２は、その位置から中立位置に自動復帰（モーメンタリ動作）する。
【００２７】
複数の接点２３は、ターンレバー２２の位置に応じた組合せで接続され、ターンスイッチ１１は、その接続された接点２３の組合せに応じたスイッチ信号を出力する。
【００２８】
具体的には、ターンスイッチ１１の一例では、ターンレバー２２に関連して、４個の接点２３ａ，２３ｂ，２３ｃ，２３ｄが設けられている。ターンレバー２２が中立位置に位置する状態では、４個の接点２３ａ，２３ｂ，２３ｃ，２３ｄが互いに切断される。ターンレバー２２が左レーンチェンジ位置に位置する状態では、接点２３ａ，２３ｂが接続される。ターンレバーが左フルターン位置に位置する状態では、接点２３ａ，２３ｂ，２３ｄが互いに接続される。一方、ターンレバー２２が右レーンチェンジ位置に位置する状態では、接点２３ａ，２３ｃが接続される。また、ターンレバー２２が右フルターン位置に位置する状態では、接点２３ａ，２３ｃ，２３ｄが互いに接続される。これにより、ターンレバー２２の中立位置、左レーンチェンジ位置、左フルターン位置、右レーンチェンジ位置および右フルターン位置の５つの位置に応じて、４個の接点２３ａ，２３ｂ，２３ｃ，２３ｄが異なる組合せで接続され、ターンスイッチ１１は、その接続される接点２３ａ，２３ｂ，２３ｃ，２３ｄの組合せごとに異なるスイッチ信号を出力する。そのため、ＥＣＵ１４は、ターンスイッチ１１から入力されるスイッチ信号に基づいて、ターンレバー２２の位置を識別することができる。
【００２９】
図３Ａおよび図３Ｂは、ターンランプ１３Ｌ，１３Ｒの点灯制御の流れを示すフローチャートである。
【００３０】
ＥＣＵ１４は、たとえば、車両のスタートスイッチ（イグニッションキースイッチ）がオンされている間、ターンランプの点灯（後述するフルターン点滅、３回点滅）を制御するため、図３Ａおよび図３Ｂに示される処理を繰り返し実行する。なお、この処理は、車両のスタートスイッチがオンされてない場合に行えるようにしてもよい。
【００３１】
この処理では、まず、ターンスイッチ１１からスイッチ信号が入力されたか否かが判断される（ステップＳ１）。スイッチ信号が入力されるまで、以降の処理は実行されない（ステップＳ１のＮＯ）。
【００３２】
ターンスイッチ１１からＥＣＵ１４にスイッチ信号が入力されると（ステップＳ１のＹＥＳ）、次に、その入力されたスイッチ信号がターンレバー２２の左レーンチェンジ位置または右レーンチェンジ位置に応じたスイッチ信号（この実施形態において、「レーンチェンジ信号」という。）であるか否かが判断される（ステップＳ２）。
【００３３】
ＥＣＵ１４に入力されたスイッチ信号がレーンチェンジ信号であった場合（ステップＳ２のＹＥＳ）、左右のターンランプ１３Ｌ，１３Ｒが点灯中であるか否かが判断される（ステップＳ３）。
【００３４】
左右のターンランプ１３Ｌ，１３Ｒが消灯している場合（ステップＳ３のＮＯ）、左ターンランプ１３Ｌまたは右ターンランプ１３Ｒがレーンチェンジ信号に応じた態様で点灯される（ステップＳ８）。すなわち、ＥＣＵ１４に入力されたレーンチェンジ信号がターンレバー２２の左レーンチェンジ位置に対応したスイッチ信号であった場合には、左ターンランプ１３Ｌが一定の周期での点滅が３回繰り返される。一方、ＥＣＵ１４に入力されたレーンチェンジ信号がターンレバー２２の右レーンチェンジ位置に対応したスイッチ信号であった場合には、右ターンランプ１３Ｒが一定の周期での点滅が３回繰り返される。左ターンランプ１３Ｌまたは右ターンランプ１３Ｒの点灯後、この処理が終了される。
【００３５】
なお、この実施形態では、レーンチェンジ信号に対応した動作として、ターンランプ１３Ｌ，１３Ｒが３回点滅される場合を例にとるが、その点滅回数は、３回に限らず、車両のレーンチェンジに適した任意の回数に変更されるとよい。
【００３６】
また、ＥＣＵ１４に入力されたスイッチ信号がレーンチェンジ信号ではなかった場合（ステップＳ２のＮＯ）、つまりＥＣＵ１４に入力されたスイッチ信号がターンレバー２２の左フルターン位置または右フルターン位置に応じたスイッチ信号（この実施形態において、「フルターン信号」という。）であった場合には、左右のターンランプ１３Ｌ，１３Ｒが点灯中であるか否かに関わらず、左ターンランプ１３Ｌまたは右ターンランプ１３Ｒがフルターン信号に応じた態様で点灯される（ステップＳ８）。すなわち、ＥＣＵ１４に入力されたフルターン信号がターンレバー２２の左フルターン位置に対応したスイッチ信号であった場合には、左ターンランプ１３Ｌが一定の周期での点滅が回数に制限なく繰り返される。一方、ＥＣＵ１４に入力されたフルターン信号がターンレバー２２の右フルターン位置に対応したスイッチ信号であった場合には、右ターンランプ１３Ｒが一定の周期での点滅が回数に制限なく繰り返される。この左ターンランプ１３Ｌまたは右ターンランプ１３Ｒの回数制限のない点滅（フルターン点滅）により、周囲の車両の運転者などに、車両の左折または右折の予定を示すことができる。左ターンランプ１３Ｌまたは右ターンランプ１３Ｒの点灯後、この処理が終了される。
【００３７】
ＥＣＵ１４にレーンチェンジ信号が入力された時点で、左ターンランプ１３Ｌまたは右ターンランプ１３Ｒが点灯中である場合には（ステップＳ３のＹＥＳ）、その点灯中のターンランプ１３Ｌ，１３Ｒが消灯される（ステップＳ４）。
【００３８】
また、その後の経過時間の計測が開始される（ステップＳ５）。
【００３９】
つづいて、ＥＣＵ１４へのレーンチェンジ信号の入力が継続しているか否かが判断される（ステップＳ６）。
【００４０】
ＥＣＵ１４へのレーンチェンジ信号の入力が継続している場合（ステップＳ６）、経過時間の計測開始（計時開始）から所定時間が経過したか否か、つまり計測中の経過時間が所定時間に達したか否かが判断される（ステップＳ７）。
【００４１】
なお、所定時間は、ＥＣＵ１４に接続される外部機器により可変設定されてもよい。所定時間は、たとえば、数百ｍｓｅｃであるが、任意の時間に設定されるとよい。
【００４２】
そして、ターンレバー２２が左レーンチェンジ位置または右レーンチェンジ位置で保持し続けられることにより、ＥＣＵ１４へのレーンチェンジ信号の入力が所定時間にわたって継続した場合には（ステップＳ６，Ｓ７のＹＥＳ）、左ターンランプ１３Ｌまたは右ターンランプ１３Ｒがレーンチェンジ信号に応じた態様で点灯されて（ステップＳ８）、この処理が終了される。
【００４３】
一方、ＥＣＵ１４へのレーンチェンジ信号の入力開始から所定時間が経過する前に、そのレーンチェンジ信号の入力がなくなると（ステップＳ６のＮＯ）、新たなスイッチ信号がＥＣＵ１４に入力されたか否かが判断される（ステップＳ９）。
【００４４】
新たなスイッチ信号が入力されていない場合（ステップＳ９のＮＯ）、計時開始から所定時間が経過したか否かが判断される（ステップＳ１０）。
【００４５】
計時開始から所定時間が経過していない場合（ステップＳ１０のＮＯ）、新たなスイッチ信号が入力されたか否かが再び判断される（ステップＳ９）。
【００４６】
新たなスイッチ信号がＥＣＵ１４に入力されることなく（ステップＳ９のＮＯ）、計時開始から所定時間が経過すると（ステップＳ１０のＹＥＳ）、左右のターンランプ１３Ｌ，１３Ｒが消灯されたまま、この処理が終了される。
【００４７】
計時開始から所定時間が経過する前に（ステップＳ１０のＮＯ）、新たなスイッチ信号がＥＣＵ１４に入力された場合には（ステップＳ９のＹＥＳ）、左ターンランプ１３Ｌまたは右ターンランプ１３Ｒが新たに入力されたスイッチ信号に応じた態様で点灯されて（ステップＳ８）、この処理が終了される。
【００４８】
なお、フルターン点滅中の左ターンランプ１３Ｌまたは右ターンランプ１３Ｒは、そのフルターン点滅中に、ターンレバー２２が操作されて、ターンスイッチ１１からＥＣＵ１４にスイッチ信号が入力された場合（ステップＳ３のＹＥＳ）に限らず、舵角センサ１２により検出されるステアリングホイールの操舵角（中立位置からの回転角）が所定の準備角以上になった後、ステアリングホイールが戻されて、ステアリングホイールの操舵角が所定のキャンセル角になった場合にも消灯される。
【００４９】
図４は、スイッチ信号の変化およびターンランプ１３Ｌ，１３Ｒの点灯動作の一例を示すタイミングチャートである。
【００５０】
左右のターンランプ１３Ｌ，１３Ｒが消灯している状態で、ターンレバー２２が中立位置から左フルターン位置に操作（変位）されて、ターンスイッチ１１からＥＣＵ１４に左フルターン位置に対応したフルターン信号が入力されると、その入力に応答して、左ターンランプ１３Ｌのフルターン点滅が開始される（時刻Ｔ１）。
【００５１】
このフルターン点滅中に、ターンレバー２２が中立位置から左レーンチェンジ位置に操作されて、ターンスイッチ１１からＥＣＵ１４に左レーンチェンジ位置に対応したレーンチェンジ信号が入力されると、その入力に応答して、点灯中の左ターンランプ１３Ｌが消灯される（時刻Ｔ２）。
【００５２】
レーンチェンジ信号の入力タイミングから所定時間内に、ターンレバー２２に加えられている変位のための力が解放されて、ターンレバー２２が中立位置に復帰した後、ターンレバー２２が左レーンチェンジ位置に再び操作され、ターンスイッチ１１からＥＣＵ１４に左レーンチェンジ位置に対応したレーンチェンジ信号が再び入力されると（時刻Ｔ３）、その入力に応答して、左ターンランプ１３Ｌが３回点滅される（時間Ｔ３−Ｔ４）。
【００５３】
このように、左ターンランプ１３Ｌのフルターン点滅中に、ターンレバー２２が左レーンチェンジ位置に操作され、その後の所定時間内に、ターンレバー２２が左レーンチェンジ位置に再び操作されることにより、その２回操作に対して遅れずに（迅速に）、フルターン点滅中の左ターンランプ１３Ｌを消灯させて、左ターンランプ１３Ｌを３回点滅させることができる。
【００５４】
同様に、右ターンランプ１３Ｒのフルターン点滅中に、ターンレバー２２が右レーンチェンジ位置に操作され、その後の所定時間内に、ターンレバー２２が右レーンチェンジ位置に再び操作されることにより、迅速に、フルターン点滅中の右ターンランプ１３Ｒを消灯させて、右ターンランプ１３Ｒを３回点滅させることができる。
【００５５】
また、左ターンランプ１３Ｌのフルターン点滅中に、ターンレバー２２が右レーンチェンジ位置に操作され、その後の所定時間内に、ターンレバー２２が右レーンチェンジ位置に再び操作されることにより、迅速に、フルターン点滅中の左ターンランプ１３Ｌを消灯させて、右ターンランプ１３Ｒを３回点滅させることができる。
【００５６】
さらに、右ターンランプ１３Ｒのフルターン点滅中に、ターンレバー２２が左レーンチェンジ位置に操作され、その後の所定時間内に、ターンレバー２２が左レーンチェンジ位置に再び操作されることにより、迅速に、フルターン点滅中の右ターンランプ１３Ｒを消灯させて、左ターンランプ１３Ｌを３回点滅させることができる。
【００５７】
また、左ターンランプ１３Ｌのフルターン点滅中に、ターンレバー２２が左レーンチェンジ位置に操作され、その後の所定時間内に、ターンレバー２２が右レーンチェンジ位置に操作されることにより、迅速に、フルターン点滅中の左ターンランプ１３Ｌを消灯させて、右ターンランプ１３Ｒを３回点滅させることができる。
【００５８】
また、右ターンランプ１３Ｒのフルターン点滅中に、ターンレバー２２が右レーンチェンジ位置に操作され、その後の所定時間内に、ターンレバー２２が左レーンチェンジ位置に操作されることにより、迅速に、フルターン点滅中の右ターンランプ１３Ｒを消灯させて、左ターンランプ１３Ｌを３回点滅させることができる。
【００５９】
また、左ターンランプ１３Ｌのフルターン点滅中に、ターンレバー２２が右レーンチェンジ位置に操作され、その後の所定時間内に、ターンレバー２２が左レーンチェンジ位置に操作されることにより、迅速に、フルターン点滅中の左ターンランプ１３Ｌを消灯させて、左ターンランプ１３Ｌを３回点滅させることができる。
【００６０】
また、左ターンランプ１３Ｌのフルターン点滅中に、ターンレバー２２が左レーンチェンジ位置に操作されて、そのまま、ターンレバー２２が左レーンチェンジ位置で所定時間にわたって保持されることにより、フルターン点滅中の左ターンランプ１３Ｌを消灯させて、左ターンランプ１３Ｌを３回点滅させることができる。
【００６１】
具体的には、左右のターンランプ１３Ｌ，１３Ｒが消灯している状態で、ターンレバー２２が中立位置から左フルターン位置に操作されて、ターンスイッチ１１からＥＣＵ１４に左フルターン位置に対応したフルターン信号が入力されると、その入力に応答して、左ターンランプ１３Ｌのフルターン点滅が開始される（時刻Ｔ５）。
【００６２】
このフルターン点滅中に、ターンレバー２２が中立位置から左レーンチェンジ位置に操作されて、ターンスイッチ１１からＥＣＵ１４に左レーンチェンジ位置に対応したレーンチェンジ信号が入力されると、その入力に応答して、点灯中の左ターンランプ１３Ｌが消灯される（時刻Ｔ６）。
【００６３】
その後、ターンレバー２２に加えられている変位のための力が解放されずに、ターンレバー２２が左レーンチェンジ位置に保持され、ターンスイッチ１１からＥＣＵ１４への左レーンチェンジ位置に対応したレーンチェンジ信号の入力が所定時間（時間Ｔ６−Ｔ７）にわたって継続すると（時刻Ｔ７）、左ターンランプ１３Ｌが３回点滅される（時間Ｔ７−Ｔ８）。
【００６４】
同様に、右ターンランプ１３Ｒのフルターン点滅中に、ターンレバー２２が右レーンチェンジ位置に操作されて、そのまま、ターンレバー２２が右レーンチェンジ位置で所定時間にわたって保持されることにより、フルターン点滅中の右ターンランプ１３Ｒを消灯させて、右ターンランプ１３Ｒを３回点滅させることができる。
【００６５】
また、左ターンランプ１３Ｌのフルターン点滅中に、ターンレバー２２が右レーンチェンジ位置に操作されて、そのまま、ターンレバー２２が右レーンチェンジ位置で所定時間にわたって保持されることにより、フルターン点滅中の左ターンランプ１３Ｌを消灯させて、右ターンランプ１３Ｒを３回点滅させることができる。
【００６６】
また、右ターンランプ１３Ｒのフルターン点滅中に、ターンレバー２２が左レーンチェンジ位置に操作されて、そのまま、ターンレバー２２が左レーンチェンジ位置で所定時間にわたって保持されることにより、フルターン点滅中の右ターンランプ１３Ｒを消灯させて、左ターンランプ１３Ｌを３回点滅させることができる。
【００６７】
図５は、スイッチ信号の変化およびターンランプ１３Ｌ，１３Ｒの点灯動作の他の例を示すタイミングチャートである。
【００６８】
左右のターンランプ１３Ｌ，１３Ｒが消灯している状態で、ターンレバー２２が中立位置から右レーンチェンジ位置に操作（変位）されて、ターンスイッチ１１からＥＣＵ１４に右レーンチェンジ位置に対応したレーンチェンジ信号が入力されると、その入力に応答して、右ターンランプ１３Ｒの３回点滅が開始される（時刻Ｔ１１）。
【００６９】
この３回点滅中に、ターンレバー２２が中立位置から左レーンチェンジ位置に操作されて、ターンスイッチ１１からＥＣＵ１４に左レーンチェンジ位置に対応したレーンチェンジ信号が入力されると、その入力に応答して、点灯中の左ターンランプ１３Ｌが消灯される（時刻Ｔ１２）。
【００７０】
レーンチェンジ信号の入力タイミングから所定時間内に、ターンレバー２２に加えられている変位のための力が解放されて、ターンレバー２２が中立位置に復帰した後、ターンレバー２２が左レーンチェンジ位置に再び操作され、ターンスイッチ１１からＥＣＵ１４に左レーンチェンジ位置に対応したレーンチェンジ信号が再び入力されると（時刻Ｔ１３）、その入力に応答して、左ターンランプ１３Ｌが３回点滅される（時間Ｔ１３−Ｔ１４）。
【００７１】
このように、右ターンランプ１３Ｒの３回点滅中に、ターンレバー２２が左レーンチェンジ位置に操作され、その後の所定時間内に、ターンレバー２２が左レーンチェンジ位置に再び操作されることにより、その２回操作に対して遅れずに（迅速に）、３回点滅中の右ターンランプ１３Ｒを消灯させて、左ターンランプ１３Ｌを３回点滅させることができる。
【００７２】
同様に、左ターンランプ１３Ｌの３回点滅中に、ターンレバー２２が右レーンチェンジ位置に操作され、その後の所定時間内に、ターンレバー２２が右レーンチェンジ位置に再び操作されることにより、その２回操作に対して迅速に、３回点滅中の左ターンランプ１３Ｌを消灯させて、右ターンランプ１３Ｒを３回点滅させることができる。
【００７３】
また、右ターンランプ１３Ｒの３回点滅中に、ターンレバー２２が左レーンチェンジ位置に操作され、その後の所定時間内に、ターンレバー２２が右レーンチェンジ位置に操作されることにより、３回点滅中の右ターンランプ１３Ｒを一旦消灯させて、右ターンランプ１３Ｒを３回点滅させることができる。
【００７４】
左ターンランプ１３Ｌの３回点滅中に、ターンレバー２２が右レーンチェンジ位置に操作され、その後の所定時間内に、ターンレバー２２が左レーンチェンジ位置に操作されることにより、３回点滅中の左ターンランプ１３Ｌを一旦消灯させて、左ターンランプ１３Ｌを３回点滅させることができる。
【００７５】
また、右ターンランプ１３Ｒの３回点滅中に、ターンレバー２２が左レーンチェンジ位置に操作されて、そのまま、ターンレバー２２が左レーンチェンジ位置で所定時間にわたって保持されることにより、３回点滅中の右ターンランプ１３Ｒを消灯させて、左ターンランプ１３Ｌを３回点滅させることができる。
【００７６】
具体的には、左右のターンランプ１３Ｌ，１３Ｒが消灯している状態で、ターンレバー２２が中立位置から右レーンチェンジ位置に操作されて、ターンスイッチ１１からＥＣＵ１４に右レーンチェンジ位置に対応したレーンチェンジ信号が入力されると、その入力に応答して、右ターンランプ１３Ｒの３回点滅が開始される（時刻Ｔ１５）。
【００７７】
この３回点滅中に、ターンレバー２２が中立位置から左レーンチェンジ位置に操作されて、ターンスイッチ１１からＥＣＵ１４に左レーンチェンジ位置に対応したレーンチェンジ信号が入力されると、その入力に応答して、点灯中の左ターンランプ１３Ｌが消灯される（時刻Ｔ１６）。
【００７８】
その後、ターンレバー２２に加えられている変位のための力が解放されずに、ターンレバー２２が左レーンチェンジ位置に保持され、ターンスイッチ１１からＥＣＵ１４への左レーンチェンジ位置に対応したレーンチェンジ信号の入力が所定時間（時間Ｔ１６−Ｔ１７）にわたって継続すると（時刻Ｔ１７）、左ターンランプ１３Ｌが３回点滅される（時間Ｔ１７−Ｔ１８）。
【００７９】
同様に、左ターンランプ１３Ｌの３回点滅中に、ターンレバー２２が右レーンチェンジ位置に操作されて、そのまま、ターンレバー２２が右レーンチェンジ位置で所定時間にわたって保持されることにより、３回点滅中の左ターンランプ１３Ｌを消灯させて、右ターンランプ１３Ｒを３回点滅させることができる。
【００８０】
以上、本発明の一実施形態について説明したが、本発明は、他の形態で実施することもできる。
【００８１】
たとえば、前述の構成では、ターンランプ１３Ｌ，１３Ｒのフルターン点滅中に、ターンレバー２２の左レーンチェンジ位置への操作および右レーンチェンジ位置への操作がこの順で所定時間内に行われると、フルターン点滅中のターンランプ１３Ｌ，１３Ｒが消灯されて、右ターンランプ１３Ｒが３回点滅される。また、ターンランプ１３Ｌ，１３Ｒのフルターン点滅中に、ターンレバー２２の右レーンチェンジ位置への操作および左レーンチェンジ位置への操作がこの順で所定時間内に行われると、フルターン点滅中のターンランプ１３Ｌ，１３Ｒが消灯されて、左ターンランプ１３Ｌが３回点滅される。
【００８２】
このようなターンレバー２２の操作によるターンランプ１３Ｌ，１３Ｒの３回点滅を防止するためには、図３Ａおよび図３Ｂに示される処理において、計時開始から所定時間が経過する前に（ステップＳ１０のＮＯ）、新たなスイッチ信号がＥＣＵ１４に入力された場合に（ステップＳ９のＹＥＳ）、その新たなスイッチ信号が先に入力されたスイッチ信号と同じ信号であるか否かを判断するステップを追加し、新たなスイッチ信号が先に入力されたスイッチ信号と同じ信号である場合に、左ターンランプ１３Ｌまたは右ターンランプ１３Ｒが新たに入力されたスイッチ信号に応じた態様で点灯されるようにすればよい。
【００８３】
この場合、前述のように、ターンランプ１３Ｌ，１３Ｒのフルターン点滅中に、ターンレバー２２が中立位置から同方向のレーンチェンジ位置に２回操作された場合に、そのターンレバー２２の操作方向に応じたターンランプ１３Ｌ，１３Ｒが３回点滅される。また、ターンランプ１３Ｌ，１３Ｒの３回点滅中に、ターンレバー２２が中立位置から同方向であって、３回点滅中のターンランプ１３Ｌ，１３Ｒに対応する方向と逆方向のレーンチェンジ位置に２回操作された場合に、そのターンレバー２２の操作方向に応じたターンランプ１３Ｌ，１３Ｒが３回点滅される。
【００８４】
また、車両の進行方向を示すターンシグナルがターンランプ１３Ｌ，１３Ｒの点滅である場合を例にとったが、これに限らず、ターンランプ１３Ｌ，１３Ｒの連続点灯が車両の進行方向を示すターンシグナルであってもよい。この場合、前述のフルターン点滅に対応する動作として、ステアリングホイールがターンランプ１３Ｌ，１３Ｒの連続点灯により示される方向に所定の準備角以上に切り込まれた後、ステアリングホイールの操舵角が所定のキャンセル角に戻されるまで、ターンランプ１３Ｌ，１３Ｒの連続点灯が継続されるとよい。また、前述の３回点滅に対応する動作として、ターンランプ１３Ｌ，１３Ｒの３回点滅に対応する一定時間にわたって、ターンランプ１３Ｌ，１３Ｒが連続点灯されるとよい。
【００８５】
また、ターンシグナルは、車室内のメータユニットに配設されている左右のターンインジケータランプの点灯であってもよい。
【００８６】
また、本発明は、操作後に中立位置に自動復帰する操作部を備えていれば、たとえば、中立位置から１段目の位置への操作に対してはモーメンタリ動作し、２段目の位置への操作に対してはオルタネイト動作する、いわゆるオルタネイト式ターンスイッチの構成を備えるターンシグナル装置に適用されてもよい。
【００８７】
その他、前述の構成には、特許請求の範囲に記載された事項の範囲で種々の設計変更を施すことが可能である。
【符号の説明】
【００８８】
１      ターンシグナル装置
１１    ターンスイッチ
１３Ｌ  左ターンランプ（ターンシグナル発生部）
１３Ｒ  右ターンランプ（ターンシグナル発生部）
１４    ＥＣＵ（制御部）
２２    ターンレバー（操作部）
２３    接点（スイッチ部）
【図１】
0006400386.tif 000002
【図２】
0006400386.tif 000003
【図３Ａ】
0006400386.tif 000004
【図３Ｂ】
0006400386.tif 000005
【図４】
0006400386.tif 000006
【図５】
0006400386.tif 000007